(57)【特許請求の範囲】
【請求項１】
負荷に接続される第１の端子に導通する第３の端子と、
前記負荷に接続される第２の端子に導通する第４の端子と、
第１の電源部を有し、前記第３及び第４の端子に接続される第１の直流電源装置と、
前記第１の電源部の電源電圧より低い電源電圧であり、前記第１の端子または第２の端子からの電流の流入を制御する逆流制御部を備える第２の電源部を有し、前記負荷に接続された前記第１の端子と前記第２の端子とに当該負荷に対し前記第１の直流電源装置と並列となるように接続可能であり、少なくとも前記第１の直流電源装置による前記第３及び第４の端子への電流の供給を停止するときには前記第１及び第２の端子に接続されている第２の直流電源装置と、
前記第２の電源部の電源電圧より高い電源電圧である第３の電源部を有し、少なくとも前記第２の直流電源装置を前記第１及び第２の端子から取り外すときには前記第１の直流電源装置と取替えられて前記第３及び第４の端子に接続されている第３の直流電源装置と
を具備する直流電源装置取替えシステム。
【請求項２】
請求項１に記載の直流電源装置取替えシステムであって、
前記第２の電源部は、当該第２の電源部の電源電圧を調整する調整部を有する直流電源装置取替えシステム。
【請求項３】
第１及び第２の端子に負荷が接続され、当該第１の端子に導通する第３の端子と当該第２の端子に導通する第４の端子とに接続される第１の直流電源装置を取替える直流電源装置取替え方法であって、
前記第１の直流電源装置は、第１の電源部を有し、
前記第１の電源部の電源電圧より低い電源電圧であり、前記第１の端子または第２の端子からの電流の流入を制御する逆流制御部を備える第２の電源部を有する第２の直流電源装置を前記負荷に接続された前記第１の端子と前記第２の端子とに当該負荷に対し前記第１の直流電源装置と並列となるように接続し、
前記第１の端子と前記第２の端子とに前記第２の直流電源装置を接続した後に、前記第１の直流電源装置を前記第３及び第４の端子から取り外し、
前記取り外された第１の直流電源装置の後に前記第２の電源電圧より高い電源電圧である第３の電源部を有する第３の直流電源装置を前記第３及び第４の端子に接続し、
前記第３の直流電源装置を前記第３及び第４の端子に接続した後に、前記第１及び第２の端子から前記第２の直流電源装置を取り外す直流電源装置取替え方法。
【発明の詳細な説明】
【技術分野】
【０００１】
本発明は、無停電で直流電源装置を取替える直流電源装置取替えシステム及びその直流電源装置取替え方法に関する。
【背景技術】
【０００２】
負荷に電力を供給する電源として、寿命がくるまでは停電のない直流電源装置が用いられることがあるが、稼動開始からある程度の年月が経過し寿命がきた後は、必ずその電源装置を更新する必要がある。  
その場合、直流電源装置は、それが給電している負荷に対しては、通常は停電できないという特殊性がある。そのため、既設直流電源装置に仮設直流電源装置を並列接続し、この状態で既設直流電源装置を取り外し、新設直流電源装置を仮設直流電源装置に並列接続し、その後、仮設直流電源装置を切り離し、撤去して取替え作業を行っている。  
そして、仮設直流電源装置である例えば蓄電池間の横流や突入電流の発生を防ぐため当該蓄電池間の差電圧を０にして当該仮設直流電源装置の接続及び切り離しをすることが提案されている
（例えば、特許文献１参照。）。  
【先行技術文献】
【特許文献】
【０００３】
【特許文献１】特開平０８−３３１７７５号公報（段落[００２０]、[００２５]及び図１、図２）
【発明の概要】
【発明が解決しようとする課題】
【０００４】
しかしながら、特許文献１のように蓄電池である直流電源装置間の差電圧を０とすると仮設直流電源装置を接続したときに、既設直流電源装置の取り外し前でも当該仮設電源装置からも負荷に電流が流れてしまい、不要な仮設直流電源装置の消耗を来たしてしまう。
また、常時正確に直流電源装置間の差電圧を０とするのは、難しく一方の直流電源装置から他方の直流電源装置に無用な電流が流れてしまい、当該直流電源装置にダメージを与える恐れがある。
【０００５】
以上のような事情に鑑み、本発明の目的は、直流電源装置にダメージを与えず安全かつ効率的に新しい直流電源装置に無停電で取替えることができる直流電源装置取替えシステム及び直流電源装置取替え方法を提供することにある。
【課題を解決するための手段】
【０００６】
上記目的を達成するため、本発明の一形態に係る直流電源装置取替えシステムは、第３の端子と、第４の端子と、第１の直流電源装置と、第２の直流電源装置と、第３の直流電源装置とを具備する。  
第３の端子は負荷に接続される第１の端子に、第４の端子は前記負荷に接続される第２の端子に、それぞれ導通されている。  
前記第１の直流電源装置は、第１の電源部を有し、前記第３及び第４の端子に接続されている。  
前記第２の直流電源装置は、前記第１の電源部の電源電圧より低い電源電圧であり、前記第１の端子または第２の端子からの電流の流入を制御する逆流制御部を備える第２の電源部を有し、前記負荷に接続された前記第１の端子と前記第２の端子とに当該負荷に対し前記第１の直流電源装置と並列となるように接続可能であり、少なくとも前記第１の直流電源装置による前記第３及び第４の端子への電流の供給を停止するときには前記第１及び第２の端子に接続されている。  
前記第３の直流電源装置は、前記第２の電源部の電源電圧より高い電源電圧である第３の電源部を有し、少なくとも前記第２の直流電源装置を前記第１及び第２の端子から取り外すときには前記第１の直流電源装置と取替えられて前記第３及び第４の端子に接続されている。
【０００７】
ここで、第１の直流電源装置は第３の端子及び第４の端子に接続されており、第１及び第２の端子が接続されている負荷に当該第１の直流電源装置から所定の電源電圧の電流が流れる。  
その状態で、第１の端子と第２の端子とに第２の直流電源装置を接続すると第１の直流電源装置の電源電圧の方が第２の直流電源装置の電源電圧より高いので、例えばプラス側である第１の端子には第２の直流電源装置から電流は流れ込まない。また、逆に第１の直流電源装置から第１の端子を介して第２の直流電源装置への電流は、当該第２の直流電源装置の逆流制御部によって制御される。  
逆流制御部としては、例えばダイオードなどの整流素子を用いて外部からの電流の流入を阻止しても良いし、所定の流入電流のみを阻止するものでも良い。例えば過充電にならない程度の電流は流入させ、過充電となる電流は流入させないように制御する回路や素子でも良い。勿論、過充電に限られるものではなく第２の直流電源装置のダメージとなる電流を流入させないように制御する回路や素子であれば良い。  
したがって、第２の直流電源装置を第１及び第２の端子に接続しても当該第２の直流電源装置から電流は流れず、第１の直流電源装置から相変わらず電流が負荷に一定供給されることとなり、不要な第２の直流電源装置の消耗を防ぐことができる。さらに第１の直流電源装置に第２の直流電源装置から電流が流れ込まないし、その逆も第２の直流電源装置がダメージを受けないよう制御できるので、当該第１及び第２の直流電源装置がダメージを受けることもないし、負荷への電圧、電流が変化することもない。
【０００８】
しかも、第１の直流電源装置の電源電圧と第２の直流電源装置の電源電圧との差電圧を０とする必要が無いのでその電圧調整は容易であり、差電圧を０とするより確実に各直流電源装置のダメージを防止できる。
また、第２の直流電源装置を第１の端子と第２の端子とに接続するので、第３の端子及び第４の端子に接続されている第１の直流電源装置取り外しの邪魔にもならない。
【０００９】
一方、第３及び第４の端子から第１の直流電源装置が外され、或は第１の直流電源装置からの電流の供給がスイッチ等により停止されると、第１の端子にはそれまで第１の直流電源装置により供給された電流が無くなる。その結果、第１の端子に流れなかった第２の直流電源装置による電流が当該第１の端子を介して負荷に流れるようになる。  
すなわち、第２の直流電源装置は少なくとも当該第１の直流電源装置の電流の供給を停止するときには第１及び第２の端子に接続されている。したがって、第３及び第４の端子側で第１の直流電源装置が外されるか否かに関わらず負荷には電流が停電せず流されることとなる。  
さらに第３の直流電源装置が第１の直流電源装置と取替えられて第３及び第４の端子に接続されると、第２の直流電源装置の電源電圧より、当該第３の直流電源装置の電源電圧の方が高いので、第３の直流電源装置から第１の端子に電流が流れ込む。  
その結果、第２の直流電源装置から第１の端子への電流の流れは止まり、負荷への電流の供給は第１の端子を介して第３の直流電源装置からとなるので、不要な第２の直流電源装置の消耗を防ぐことができる。一方、電源電圧が高い第３の直流電源装置から第２の直流電源装置への電流の流入は、第２の直流電源装置の逆流制御部により制御される。したがって、第２の直流電源装置から第３の直流電源装置への電流の流入はないし、第３の直流電源装置から第２の直流電源装置への過度な電流の流入を阻止するように制御できるので、当該第２及び第３の直流電源装置がダメージを受けることもない。また、当該第２の直流電源装置を第１及び第２の端子から外しても負荷へ電流の供給は停電することなく、第３の直流電源装置からの所定の電流が流れることとなる。
【００１０】
なお、第１から第４の端子を有するとし、それに負荷と第１の直流電源装置とが接続されているとしたが、勿論、その組合せが複数あっても良く、例えば第１及び第２の端子を含む複数の端子が負荷側に並び、それと対向するように第１の直流電源装置側に第３及び第４の端子を含む複数の端子が並んでいても良い。
【００１１】
前記第２の直流電源装置は、前記第２の電源部に接続された電源ケーブルと、当該電源ケーブルに接続され前記第１の端子と前記第２の端子との接続及び取り外しに用いられる着脱冶具とを有してもよい。ここで、前記第１及び第２の端子は、それぞれ金属からなっている。そして、着脱冶具は、前記電源ケーブルと導通する磁性部を有し、当該磁性部は、前記第１の端子と前記第２の端子とを覆い前記磁性部の磁力により前記第１の端子と前記第２の端子とに嵌着可能な凹面形状を有している。また、前記電源ケーブルと第１の端子と、前記電源ケーブルと第２の端子とは、それぞれ別々の前記着脱冶具を介して導通することができる。
【００１２】
第２の直流電源装置は、第２の電源部に接続された電源ケーブルに接続された磁性部を有する着脱冶具により、負荷が接続された第１の端子と第２の端子とに接続され、取り外される。  
ここで、着脱冶具の磁性部はその凹面形状により第１の端子と第２の端子とを覆い、その形状と磁力により当該第１の端子と第２の端子に嵌着し、安定した接続を可能とする。また、当該電源ケーブルと第１の端子と、当該電源ケーブルと第２の端子とはそれぞれ別々の着脱冶具により導通しているので、例えばプラス側である第１の端子への接続の前にマイナス側である第２の端子へ接続することが可能となる。
【００１３】
前記着脱冶具は、前記電源ケーブルに接続される本体部を有し、前記磁性部は、前記本体部に着脱可能であり、前記第１の端子と前記第２の端子との形状に合わせて交換可能としてもよい。
【００１４】
第１から第４の端子は、例えばそれぞれ端子部材と、その端子部材が配置された基板に螺着可能な足部と当該足部に接続された半球状または多角柱状の頭部とからなるねじとを有している。したがって、着脱冶具の磁性部は当該頭部に確実に嵌着するためには複数の形状を備える必要があり、着脱冶具を本体部と磁性部に分けて当該磁性部を本体部に着脱可能として第１の端子と第２の端子の形状に合わせて交換可能としたものである。これにより、第１の端子と第２の端子との形状毎に異なる着脱冶具を用意しなくても済みコスト軽減や作業性を向上できることになる。
【００１５】
前記負荷は、前記第１及び第２の端子に接続するための負荷ケーブルを有し、前記着脱冶具は、前記負荷ケーブルに固定する固定バンドを有してもよい。
【００１６】
負荷は、負荷ケーブルにより第１及び第２の端子に接続され、当該第１の端子と第２の端子との例えば頭部に着脱冶具が磁性部の磁力とその形状により嵌着されており、さらに固定バンドが当該負荷ケーブルと着脱冶具とを固定している。  
これにより、万が一第１の端子と第２の端子との嵌着が不十分であったり、何かしらの外力が働いてもその着脱冶具が給電中に外れたりする事を防ぎ、負荷の停電、別回路とのショート等の不具合の発生を防止することができる。
【００１７】
前記第２の電源部は、当該第２の電源部の電源電圧を調整する調整部を有してもよい。
【００１８】
第２の直流電源装置の電源電圧を第１及び第３の直流電源装置の電源電圧より低くするために、例えばシリコンダイオードの電圧降下等を利用した電圧調整回路により、第２の直流電源装置の第２の電源部の電源電圧を調整する。  
これにより、多種多様な負荷や第１の直流電源装置に一つの第２の直流電源装置で対応でき、コスト軽減や作業性を向上できることになる。さらに実際に接続した際の調節も可能となり、直流電源装置へのダメージを確実になくし安全かつ効率的に新しい直流電源装置に無停電で取替えることができる。
【００１９】
本発明の他の一形態に係る直流電源装置取替え方法は、第２の直流電源装置を負荷に接続された第１の端子と第２の端子とに接続し、第１の直流電源装置を第３及び第４の端子から取り外し、第３の直流電源装置を前記第３及び第４の端子に接続し、前記第１及び第２の端子から第２の直流電源装置を取り外すものである。  
前記第１の直流電源装置は、第１の電源部を有しており、第２の直流電源装置は、前記第１の電源部の電源電圧より低い電源電圧であり、前記第１の端子または第２の端子からの電流の流入を制御する逆流制御部を備える第２の電源部を有している。また、前記第２の直流電源装置は、前記負荷に接続された前記第１の端子と前記第２の端子とに当該負荷に対し前記第１の直流電源装置と並列となるように接続される。  
前記第１の端子と前記第２の端子とに前記第２の直流電源装置を接続した後に、前記第１の直流電源装置を前記第３及び第４の端子から取り外す。  
前記取り外された第１の直流電源装置の後に前記第２の電源電圧より高い電源電圧である第３の電源部を有する第３の直流電源装置を前記第３及び第４の端子に接続する。  
前記第３の直流電源装置を前記第３及び第４の端子に接続した後に、前記第１及び第２の端子から第２の直流電源装置を取り外す。
【００２０】
ここで、第１の直流電源装置は第３の端子及び第４の端子に接続されており、第１及び第２の端子に接続されている負荷に当該第１の直流電源装置から所定の電源電圧の電流が流れる。  
その状態で、第１の端子と第２の端子とに第２の直流電源装置を接続すると第１の直流電源装置の電源電圧の方が第２の直流電源装置の電源電圧より高いので、当該第２の直流電源装置から電流は流れず、第１の直流電源装置から相変わらず電流が負荷に一定供給される。したがって、不要な第２の直流電源装置の消耗を防ぐことができる。さらに第１の直流電源装置に第２の直流電源装置から電流が流れ込まないし、第２の電源部には逆流制御部を有するので第１の直流電源装置からの電流を制御することができ、当該第１及び第２の直流電源装置がダメージを受けることもないし、負荷への電圧、電流が変化することもない。  
しかも、第１の直流電源装置の電源電圧と第２の直流電源装置の電源電圧との差電圧を０とする必要が無いのでその電圧調整は容易であり、差電圧を０とするより確実に各直流電源装置のダメージを防止できる。  
そして、第１の直流電源装置が第３及び第４の端子から取り外されるか、電流の供給がスイッチ等により停止されると、それまで例えば第１の端子に流れなかった第２の直流電源装置による電流が当該第１の端子を介して負荷に流れるようになる。すなわち、第３及び第４の端子側で第１の直流電源装置が外されるか否かに関わらず負荷には電流が停電せず流されることとなる。  
さらに第１の直流電源装置が第３及び第４の端子から取り外され、その第３及び第４の端子に第３の直流電源装置が接続されると、第２の直流電源装置の電源電圧より、当該第３の直流電源装置の電源電圧の電位の方が高いので、第３の直流電源装置から負荷に電流が流れ込む。したがって、不要な第２の直流電源装置の消耗を防ぐことができる。一方、電源電圧が高い第３の直流電源装置から第２の直流電源装置への電流の流入は、第２の直流電源装置の逆流制御部により制御される。したがって、第２の直流電源装置から第３の直流電源装置への電流の流入はないし、第３の直流電源装置から第２の直流電源装置への電流の流入若しくは過度な電流の流入を阻止するように制御できるので、当該第２及び第３の直流電源装置がダメージを受けることもない。また、当該第２の直流電源装置を第１及び第２の端子から外しても負荷への電流供給は停電することなく、第３の直流電源装置からの所定の電流が流れることとなる。  
以上により、負荷への電流の供給を停止することなく第１の直流電源装置を第３の直流電源装置に取替えが終了する。
【００２１】
前記第２の直流電源装置の第１の端子と前記第２の端子とへの接続は、前記負荷のマイナス側が接続されている前記第２の端子に前記第２の直流電源装置のマイナス側を接続し、その後に、前記第２の直流電源装置のプラス側を前記負荷のプラス側が接続されている前記第１の端子に接続してもよい。
【００２２】
第１の端子と第２の端子とへの第２の直流電源装置のプラス側とマイナス側の接続は、先にマイナス側を例えば第２の端子に接続するだけなので、当然に第２の直流電源装置から負荷に電流は流れない。その後に、プラス側を例えば第１の端子に接続すると初めて形としては第１の直流電源装置と第２の直流電源装置との並列運転の状態となるが、この場合でも上記したように第２の直流電源装置からは負荷に電流が流れず、第１の直流電源装置からの電流が負荷に流れ続ける。
【００２３】
前記第２の電源部は、当該第２の電源部の電源電圧を調整する調整部を有し、予め第１及び第３の電源部の各電源電圧を計測し、当該各電源電圧より低くなるように前記調整部により調整するようにしてもよい。
【００２４】
これにより、多種多様な負荷や第１の直流電源装置に一つの第２の直流電源装置で対応でき、コスト軽減や作業性を向上できることになる。さらに実際に接続した際の調節も可能となり、直流電源装置へのダメージを確実になくし安全かつ効率的に新しい直流電源装置に無停電で取替えることができる。
【００２５】
前記負荷と前記第１の直流電源装置とそれらを接続する第１から第４の端子の組合せを複数有し、前記第２の直流電源装置の前記第１及び第２の端子への接続、前記第１の直流電源装置の前記第３及び第４の端子からの取り外し、前記第３の直流電源装置の前記第３及び第４の端子への接続、前記第２の直流電源装置の前記第１及び第２の端子からの取り外しを順次前記組合せごとに行うようにしてもよい。
【００２６】
第１の直流電源装置が複数有る場合も一つしかない場合と同様に当該第１の直流電源装置及び第３の直流電源装置の電源電圧より低い第２の直流電源装置により、無停電でかつ、安全で低コストに直流電源装置の交換が可能となる。勿論、一つ一つ直流電源装置を取り替える必要はなく、複数の第１の直流電源装置とその数に対応する第２の直流電源装置、第３の直流電源装置を一つのグループとして、当該グループごとに取替え作業をしても良い。
【発明の効果】
【００２７】
以上のように、本発明では、直流電源装置にダメージを与えず安全かつ効率的に新しい直流電源装置に無停電で取替えることができる。
【図面の簡単な説明】
【００２８】
【図１】本発明の一実施形態に係る直流電源装置取替えシステムを示すブロック図である。
【図２】各端子に負荷ケーブル及び電源ケーブルが接続された状態を示す概略斜視図である。
【図３】図２の一部断面図である。
【図４】（ａ）は着脱冶具に電源ケーブルを接続した状態の概略斜視図であり、（ｂ）は本体部から磁性部を取り外した状態の概略斜視図である。
【図５】第１の端子または第２の端子に着脱冶具が嵌着した状態の概略断面図である。
【図６】第１の直流電源装置を第３の直流電源装置に無停電で取替える方法のフローチャートである。
【図７】第１の直流電源装置を取替える前の状態を示すブロック図である。
【図８】第２の端子に第２の電源部のマイナス側に接続された着脱冶具を接続した状態のブロック図である。
【図９】第１、第２の端子に第２の電源部のプラス側に接続された着脱冶具、マイナス側に接続された着脱冶具を接続した状態のブロック図である。
【図１０】第１、第２の端子に第２の電源部のプラス側に接続された着脱冶具、マイナス側に接続された着脱冶具を接続した状態の概略斜視図である。
【図１１】第１の直流電源装置のスイッチを切った状態のブロック図である。
【図１２】第１の直流電源装置を取り外した状態のブロック図である。
【図１３】第３及び第４の端子に第３の直流電源装置を接続した状態のブロック図である。
【図１４】第１及び第２の端子から第２の直流電源装置を外した状態のブロック図である。
【図１５】（ａ）は、本発明の他の実施形態に係る第２の直流電源装置の着脱冶具と電源ケーブルを示す概略図であり、図１５（ｂ）は、着脱冶具の磁性部を本体部から外した状態を示す概略図である。
【図１６】固定バンドを負荷ケーブルに巻きつけた状態を示す概略図である。
【図１７】本発明の他の実施形態に係る着脱冶具の磁性部を示す概略図である。
【図１８】磁性部が六角ボルトに嵌着された状態を示す概略断面図である。
【発明を実施するための形態】
【００２９】
以下、図面を参照しながら、本発明の実施形態を説明する。
【００３０】
図１は、本発明の一実施形態に係る直流電源装置取替えシステムを示すブロック図である。
【００３１】
直流電源装置取替えシステム１は、負荷２と、当該負荷２が接続された第１及び第２の端子３２，３３とその第１の端子３２に導通した第３の端子３４及び第２の端子３３に導通した第４の端子３５とを備えた端子台３、その第３及び第４の端子３４，３５に接続された第１の直流電源装置４と、その第１及び第２の端子３２，３３に接続可能な第２の直流電源装置５と、第１の直流電源装置４と取替え可能な第３の直流電源装置６とを備える。
【００３２】
図２は、各端子に負荷ケーブル及び電源ケーブルが接続された状態を示す概略斜視図である。
【００３３】
負荷２は、直流負荷２１とその直流負荷２１に接続された負荷ケーブル２２を備え、当該負荷ケーブル２２はプラス側負荷ケーブル２２１とマイナス側負荷ケーブル２２２とを有する。また、プラス側負荷ケーブル２２１の一端には圧着端子２２１ａが備えられており、マイナス側負荷ケーブル２２２の一端には圧着端子２２２ａが備えられている。
【００３４】
端子台３は、基板３１と、当該基板３１上に設けられた鉄などの金属からなる第１の端子から第４の端子３２、３３，３４，３５とを備えている。
【００３５】
図３は、図２の一部断面図である。
【００３６】
第１の端子３２は、例えば図２及び図３に示すように基板３１に配置された薄板状の第１端子部材３２１と、当該第１端子部材３２１に設けられた孔を通し基板３１に螺着可能な十字穴付きなべねじ３２２とを備えている。当該十字穴付きなべねじ３２２は、半球状の頭部３２２ａと当該頭部に続く足部３２２ｂとを有する。頭部３２２ａと第１端子部材３２１との間にプラス側負荷ケーブル２２１の板状の圧着端子２２１ａを挟んで足部３２２ｂを基板３１に螺着すると、プラス側負荷ケーブル２２１の圧着端子２２１ａは第１端子部材３２１に圧着され、当該第１端子部材３２１に導通する。
【００３７】
第２の端子３３は、例えば図２及び図５に示すように第１の端子３２と同様に、基板３１に配置された第２端子部材３３１と、当該基板３１に螺着可能な十字穴付きなべねじ３３２とを備え、当該十字穴付きなべねじ３３２は、半球状の頭部３３２ａと当該頭部に続く足部３３２ｂとを有する。頭部３３２ａと第２端子部材３３１との間にマイナス側負荷ケーブル２２２の板状の圧着端子２２２ａを挟んで足部３３２ｂを基板３１に螺着すると、圧着端子２２２ａは第２端子部材３３１に圧着され、当該第２端子部材３３１に導通する。
【００３８】
第１の直流電源装置４は、例えば図１に示すように第１の電源部４１と、当該第１の電源部４１の電流を第３及び第４の端子３４，３５に供給する電源ケーブル４２とを備えている。第１の電源部４１には例えば出力電圧１０８ボルトのバッテリー４１１と、そのバッテリー４１１の電流の供給をオン、オフするスイッチ４１２と、オン、オフされた電流を電源ケーブル４２に接続するプラス側コネクタ４１３及びマイナス側コネクタ４１４を有する。また、電源ケーブル４２には、プラス側電源ケーブル４２１とマイナス側電源ケーブル４２２とを有する。そのプラス側電源ケーブル４２１の一端には、プラス側コネクタ４１３に接続する図示しないコネクタとその反対側に第３の端子３４に接続する板状の圧着端子４２１ａを備えている。さらにマイナス側電源ケーブル４２２の一端には、マイナス側コネクタ４１４に接続する図示しないコネクタとその反対側に板状の圧着端子４２２ａを備えている。
【００３９】
第３の端子３４は、例えば図２及び図３に示すように第１の端子３２と同様に、基板３１に配置された薄板状の第３端子部材３４１と、当該基板３１に螺着可能な十字穴付きなべねじ３４２とを備え、当該十字穴付きなべねじ３４２は、半球状の頭部３４２ａと足部３４２ｂとを有する。頭部３４２ａと第３端子部材３４１との間にプラス側電源ケーブル４２１の板状の圧着端子４２１ａを挟んで足部３４２ｂを基板３１に螺着すると、圧着端子４２１ａは第３端子部材３４１に圧着され，当該第３端子部材３４１に導通する。ここで、第１端子部材３２１と第３端子部材３４１とは導通しているので、結局、第１の直流電源装置４からの電流は第３の端子３４及び第１の端子３２を介して負荷２に流れることが可能となる。
【００４０】
第４の端子３５は、例えば図２に示すように第３の端子３４と同様に基板３１に配置された薄板状の第４端子部材３５１と、当該基板３１に螺着可能な十字穴付きなべねじ３５２とを備え、当該十字穴付きなべねじ３５２は、半球状の頭部３５２ａと図示しない足部とを有する。頭部３５２ａと第４端子部材３５１との間にマイナス側電源ケーブル４２２の板状の圧着端子４２２ａを挟んで足部を基板３１に螺着すると、圧着端子４２２ａは第４端子部材３５１に圧着され、当該第４端子部材３５１に導通する。ここで、第２端子部材３３１と第４端子部材３５１とは導通しているので、結局、負荷２からの電流は第２の端子３３及び第４の端子３５を介して第１の直流電源装置４に流れることが可能となる。
【００４１】
第２の直流電源装置５は、例えば図１に示すように第２の電源部５１と、当該第２の電源部５１の電流を供給する電源ケーブル５２と、その電源ケーブル５２に接続され第１の端子３２と第２の端子３３とに接続する着脱冶具５３，５３とを備えている。
【００４２】
ここで、第２の電源部５１には例えば出力電圧１０８ボルトのバッテリー５１１と、そのバッテリー５１１のプラス側に接続され第２の電源部５１の電源電圧Ｅ２を調整する調整部５１２と、外部からの電流を制御する逆流制御部としての整流素子５１３と、当該整流素子５１３に接続されたコネクタ５１４と、バッテリー５１１のマイナス側に接続されたコネクタ５１５とを備えている。当該調整部５１２には例えばシリコンダイオードの電圧降下などを利用した電圧調整回路が用いられ、当該調整部５１２により当該第２の電源部５１の電源電圧Ｅ２が第１の電源部４１の電源電圧Ｅ１より低く（Ｅ２＜Ｅ１）なるように調整される。
【００４３】
整流素子５１３は、接続された調整部５１２からの電流は流すが、逆方向に流れ込む電流は当該調整部５１２へ流さないものであり、例えば逆流防止ダイオードが用いられる。
【００４４】
電源ケーブル５２は、プラス側電源ケーブル５２１とマイナス側電源ケーブル５２２とを備え、当該プラス側電源ケーブル５２１の一端にコネクタ５２１ａ、他端にコネクタ５２１ｂを有し、マイナス側電源ケーブル５２２の一端にコネクタ５２２ａ、他端にコネクタ５２２ｂを有する。これによって、第２の電源部側のコネクタ５１４，５１５にコネクタ５２１ｂ、５２２ｂが接続され、後述する着脱冶具５３に残りのコネクタ５２１ａと５２２ａが接続され、第２の電源部５１からの電流が着脱冶具５３に流れることとなる。
【００４５】
図４（ａ）は、着脱冶具に電源ケーブルを接続した状態の概略斜視図であり、図４（ｂ）は、本体部から磁性部を取り外した状態の概略斜視図である。
【００４６】
着脱冶具５３は、電源ケーブルのコネクタ５２１ａまたは５２２ａが接続される本体部５３１と、当該本体部５３１に着脱可能で第１の端子３２と第２の端子３３に嵌着可能な磁性部５３２とを備えている。
【００４７】
本体部５３１は、例えば図４（ａ）に示すように作業者が掴み易いように太めの保持部５３１ａと、それより細く保持部５３１ａと磁性部５３２とをつなぐ連結部５３１ｂと、当該保持部５３１ａ及び連結部５３１ｂを貫通する導通部材５３１ｃとを備える。
【００４８】
保持部５３１ａは、プラス側電源ケーブル５２１のコネクタ５２１ａに接続する図示しないコネクタを有し、導通部材５３１ｃは、その図示しないコネクタと磁性部５３２とを導通する。また、保持部５３１ａと連結部５３１ｂの少なくとも表面は絶縁材により形成されており、磁性部５３２を螺着可能なように連結部５３１ｂの先端表面はねじ部５３１ｂａが設けられている。
【００４９】
図５は、第１の端子に着脱冶具が嵌着した状態の概略断面図である。
【００５０】
磁性部５３２は、第１の端子３２や第２の端子３３との接触面が、例えば図５に示すように第１の端子３２の十字穴付きなべねじ３２２の頭部３２２ａを覆うことができるように連結部５３１ｂ側の反対側が凹面形状５３２ａをなしている。当該頭部３２２ａの頭頂部には十字状の溝３２２ａａが形成されているので、その溝３２２ａａに丁度収まる十字状の突起５３２ａａが当該凹面の中央に設けられている。
【００５１】
これにより、磁性部５３２の凹面形状５３２ａが頭部３２２ａを滑ろうとする力に対して突起５３２ａａが溝３２２ａａに引っかかり反力を生じさせるので、第１及び第２の端子３２，３３により確実に着脱冶具５３を嵌着できる。また、磁性部５３２は磁性を帯びており導電性を有する必要があるので、例えば鉄等の金属で形成されている。
【００５２】
さらに負荷ケーブルの圧着端子２２１ａ，２２２ａを第１及び第２端子部材３２１，３３１に圧着して導通させるためには、図２のような十字穴付きなべねじ３２２、３３２に限られるものではない。例えばマイナスねじでもよく、その場合、磁性部５３２は図４（ｂ）に示すようにマイナス状の突起５３２ａｂが上述した凹面形状５３２ａの中央に形成され、当該マイナスねじの頭部を確実に嵌着できるようになっている。尚、図５に示すように磁性部５３２は圧着端子２２１ａ，２２２ａ表面に当接しない程度に若干離間して嵌着されることが好ましい。圧着端子２２１ａ，２２２ａ表面に当接すると磁力による嵌着が不十分となる恐れがある。
【００５３】
第３の直流電源装置６は、例えば図１に示すように第３の電源部６１と、当該第３の電源部６１の電流を第３及び第４の端子３４，３５に供給する電源ケーブル６２とを備えている。第３の電源部６１には例えば出力電圧１０８ボルトのバッテリー６１１と、そのバッテリー６１１の電流を電源ケーブル６２に接続するプラス側コネクタ６１２及びマイナス側コネクタ６１３を有する。また、電源ケーブル６２には、プラス側電源ケーブル６２１とマイナス側電源ケーブル６２２とを有する。そのプラス側電源ケーブル６２１の一端には、プラス側コネクタ６１２に接続する図示しないコネクタとその反対側に第３の端子３４に接続する圧着端子６２１ａを備えている。さらにマイナス側電源ケーブル６２２の一端には、マイナス側コネクタ６１３に接続する図示しないコネクタとその反対側に圧着端子６２２ａを備えている。また、前述した調整部５１２により第２の電源部５１の電源電圧Ｅ２が当該第３の電源部６１の電源電圧Ｅ３より低く（Ｅ２＜Ｅ３）なるように調整される。
【００５４】
以上のように、第２の直流電源装置５の電源電圧Ｅ２を第１及び第３の直流電源装置４，６の夫々の電源電圧であるＥ１，Ｅ３より低くし、かつ、電流の流入を防ぐ整流素子５１３を第２の直流電源装置５に備えることとしたので、詳しくは後述するが直流電源装置のダメージや消耗を防止しながら無停電で直流電源装置を取替えられる。
【００５５】
また、負荷２に接続された第１及び第２の端子３２，３３の上から磁力で嵌着できる着脱冶具５３により当該第１及び第２の端子３２，３３に第２の直流電源装置を接続することとしたので、詳しくは後述するが安全に無停電による直流電源装置の取替えができる。
【００５６】
次に、第１の直流電源装置を第３の直流電源装置に無停電で取替える方法及び動作について説明する。
【００５７】
図６は、第１の直流電源装置を第３の直流電源装置に無停電で取替える方法のフローチャートである。
【００５８】
図７は、第１の直流電源装置を取替える前の状態を示すブロック図である。
【００５９】
まず、前提として直流電源取替えシステム１は、図７のように第１の直流電源装置４が第３の端子及び第４の端子３４，３５に接続され、負荷２が第１の端子及び第２の端子３２，３３に接続されている。
【００６０】
最初に、第１の直流電源装置４の第１の電源部４１の電源電圧Ｅ１及び第３の直流電源装置６の第３の電源部６１の電源電圧Ｅ３を計測する（ＳＴ１０１）。そして、第２の直流電源装置５の第２の電源部５１の電源電圧Ｅ２を調整部５１２によりＥ２＜Ｅ１かつＥ２＜Ｅ３となるように調整する（ＳＴ１０２）。ここで、Ｅ２の下限値としては用いられる直流負荷２１によって異なるが、少なくとも直流負荷２１に要請される最低電圧以上であることが当然必要とされる。
【００６１】
次に、図４（ａ）（ｂ）に示すように二つの着脱冶具５３の本体部５３１に十字状の突起５３２ａａが凹面形状５３２ａに形成された磁性部５３２を夫々螺着して固定する。そして、内一つの本体部５３１のコネクタに第２の直流電源装置５のプラス側電源ケーブル５２１のコネクタ５２１ａを接続し、残りの本体部５３１のコネクタにマイナス側電源ケーブル５２２のコネクタ５２２ａを接続する。さらにＥ２＜Ｅ１かつＥ２＜Ｅ３となるように調整した第２の直流電源装置５の第２の電源部５１のコネクタ５１５にマイナス側電源ケーブル５２２のコネクタ５２２ｂを接続する（ＳＴ１０３）。
【００６２】
図８は、第２の端子に第２の電源部のマイナス側に接続された着脱冶具を接続した状態のブロック図である。
【００６３】
マイナス側電源ケーブル５２２に接続された着脱冶具５３の凹面形状５３２ａの部分を第２の端子３３の十字穴付きなべねじ３３２の半球状の頭部３３２ａに当該磁性部５３２の磁力を利用して嵌着させる（ＳＴ１０４）。この際、図２に示すように第２の端子３３の十字穴付きなべねじの頭部３３２ａには、十字状の溝３３２ａａが形成されており、図５のように磁性部５３２の凹面形状５３２ａの十字状の突起５３２ａａが当該溝３３２ａａに嵌りこみ、安定的に接続状態を維持できる。
【００６４】
この状態は図２の当初の状態と第２の端子３３に着脱冶具５３が接続されている点が異なるが、当該接続されているのは負荷２のマイナス側である第２の端子３３に第２の直流電源装置５のマイナス側のみが接続されているのに過ぎない。従って、負荷２には相変わらず第１の直流電源装置４１からの電流が流れる一方、当該第１の直流電源装置４１から第２の電源部５１への電流の流れもなく、逆に第２の電源部５１から第１の直流電源装置４１への電流の流れもない。
【００６５】
図９は、第１、第２の端子に第２の電源部のプラス側に接続された着脱冶具、マイナス側に接続された着脱冶具を接続した状態のブロック図であり、図１０はその状態の概略斜視図である。
【００６６】
次に、第２の直流電源装置５の第２の電源部５１のコネクタ５１４にプラス側電源ケーブル５２１のコネクタ５２１ｂを接続する（ＳＴ１０５）。そしてプラス側電源ケーブル５２１に接続された着脱冶具５３の凹面形状５３２ａの部分を第１の端子３２の十字穴付きなべねじ３２２の半球状の頭部３２２ａに当該磁性部５３２の磁力を利用して嵌着させる（ＳＴ１０６）。この際、十字穴付きなべねじ３２２の頭部３２２ａには、十字状の溝３２２ａａが形成されており、図５に示すように第２の端子３３と同様に磁性部５３２の凹面形状５３２ａの十字状の突起５３２ａａが当該溝３２２ａａに嵌りこみ、安定的に接続状態を維持できる。
【００６７】
上記の接続により、図９、図１０に示すように第１の直流電源装置４と第２の直流電源装置５とは第１の端子３２と第２の端子３３とに並列接続されることとなる。しかし、第１の直流電源装置４の電源電圧E１は第２の直流電源装置５の電源電圧E２より高いので、第１の端子３２の電位は第２の直流電源装置５の着脱冶具５３の電位より高くなり、第２の直流電源装置５からは当該第１の端子３２へ電流が流れない。逆に第１の直流電源装置４から第１の端子３２を介して第２の直流電源装置５へ電流は、当該第２の直流電源装置の整流素子５１３、例えばダイオードによって止められるので流れない。
【００６８】
したがって、第２の直流電源装置５を第１及び第２の端子３２，３３に接続しても当該第２の直流電源装置５から電流は流れず、第１の直流電源装置４から相変わらず電流が負荷２に一定供給されることとなり、不要な第２の直流電源装置５の消耗を防ぐことができる。さらに第２の直流電源装置５に第１の直流電源装置４から電流が流れ込まないので、当該第２の直流電源装置５がダメージを受けることもないし、負荷２への電圧、電流が変化することもない。
【００６９】
また、上記のようにマイナス側電源ケーブル５２２の着脱冶具５３を第２の端子３３に嵌着した後、プラス側電源ケーブル５２１の着脱冶具５３を第１の端子３２に嵌着することで、万が一、第２の直流電源装置５の電流が流れても無用な事故を防ぐことができる。
【００７０】
図１１は、第１の直流電源装置のスイッチを切った状態のブロック図である。
【００７１】
次に、第１の直流電源装置４のスイッチ４１２を切る（ＳＴ１０７）と、第３の端子３４に導通している第１の端子３２にはそれまで第１の直流電源装置４により供給された電流が無くなる。その結果、それまで第１の端子３２の電位の方が第２の直流電源装置５による電位より高いため第１の端子３２に流れなかった第２の直流電源装置５による電流が着脱冶具５３を介して流れるようになり、それが負荷２に流れる。
【００７２】
すなわち、第２の直流電源装置５は少なくとも第１の直流電源装置４の電流供給を停止するときには第１及び第２の端子３２，３３に接続されているので、第３及び第４の端子側で第１の直流電源装置４が外されるか否かに関わらず負荷２には電流が停電せず流れる。
【００７３】
図１２は、第１の直流電源装置を取り外した状態のブロック図である。
【００７４】
第３及び第４の端子３４，３５から第１の直流電源装置４を取り外す（ＳＴ１０８）。即ち、第３及び第４の端子３４，３５の十字穴付きなべねじ３４２，３５２を基板３１からねじ回し等で外し、電源ケーブル４２の圧着端子４２１ａ，４２２ａを第３及び第４端子部材３４１，３５１から外す。この際、既に第１及び第２の端子３２，３３には第２の直流電源装置５が接続されており、負荷２へは当該第２の直流電源装置５からの電流が流れているので、電源ケーブル４２の圧着端子４２１ａ，４２２ａを外しても停電はしない。
【００７５】
図１３は、第３及び第４の端子に第３の直流電源装置を接続した状態のブロック図である。
【００７６】
次に、図１３に示すように第３及び第４の端子３４，３５に第３の直流電源装置６を接続する（ＳＴ１０９）。即ち、第３及び第４端子部材３４１，３５１と十字穴付きなべねじ３４２，３５２の頭部３４２ａ，３５２ａとの間に電源ケーブル６２の圧着端子６２１ａ，６２２ａを挟むように当該十字穴付きなべねじ３４２，３５２を基板３１に螺着する。
【００７７】
上記の接続により、第３の直流電源装置６は第１及び第２の端子３２，３３にも導通するので第２の直流電源装置５と第３の直流電源装置６とは第１の端子３２と第２の端子３３とに並列接続されることとなる。すると、第３の直流電源装置６の電源電圧E３は第２の直流電源装置５の電源電圧E２より高いので、それまでの第２の直流電源装置５の電源電圧E２による第１の端子３２の電位より、当該第３の直流電源装置６の電源電圧E３の電位の方が高いことになる。したがって、第３の直流電源装置６から第１の端子３２に電流が流れ込み、第１の端子３２の電位が第２の直流電源装置５の電源電圧E２による電位より高くなり、第２の直流電源装置５からは当該第１の端子３２へ電流が流れなくなる。
【００７８】
したがって、不要な第２の直流電源装置５の消耗を防ぐことができる。逆に第３の直流電源装置４から第１の端子３２を介して第２の直流電源装置５へ電流は、当該第２の直流電源装置の整流素子５１３、例えばダイオードによって止められるので流れない。
【００７９】
図１４は、第１及び第２の端子から第２の直流電源装置を外した状態のブロック図である。
【００８０】
最後に図１４に示すように第１及び第２の端子３２，３３から第２の直流電源装置５を外す（ＳＴ１１０）ことで、第１の直流電源装置４を新しい第３の直流電源装置６に取替える作業が終了する。即ち、第１及び第２の端子３２，３３の十字穴付きなべねじ３２２，３３２の頭部３２２ａ，３３２ａに嵌着されていた着脱冶具５３，５３を当該頭部３２２ａ，３３２ａから外し、第２の直流電源装置５の第２の電源部５１から電源ケーブル５２を外して作業が終了する。
【００８１】
この際、第２の直流電源装置５から第１の端子３２への電流の流れは止まっており、負荷２への電流の供給は第１の端子３２を介して第３の直流電源装置６からとなっている。したがって、当該第２の直流電源装置５を第１及び第２の端子３２，３３から外しても負荷２へ電流の供給は停電することなく、第３の直流電源装置６からの所定の電流が流れることとなる。
【００８２】
以上から、第１、第２及び第３の直流電源装置４，５，６のダメージや無駄な消耗も無く、無停電で第１の直流電源装置４を新しい第３の直流電源装置６に取替えることが可能となる。
【００８３】
なお、上述の説明では負荷２と第１の直流電源装置４とそれらを接続する第１から第４の端子３２〜３５の組合せを一つとして説明したが、その組合せを複数有してもよい。第２の直流電源装置５の接続、第１の直流電源装置４の取り外し、第３の直流電源装置６の接続、第２の直流電源装置５の取り外しを順次その組合せごとに行うようにしてもよい。
【００８４】
これにより、第１の直流電源装置４が複数有る場合も一つしかない場合と同様に当該第１の直流電源装置４及び第３の直流電源装置６の電源電圧より低い電源電圧の第２の直流電源装置５により、無停電でかつ、安全で低コストに直流電源装置の交換が可能となる。勿論、一つ一つ直流電源装置を取替える必要はなく、複数の第１の直流電源装置４とその数に対応する第２の直流電源装置５、第３の直流電源装置６を一つのグループとして、当該グループごとに取替え作業をしても良い。
【００８５】
図１５（ａ）は、本発明の他の実施形態に係る第２の直流電源装置の着脱冶具と電源ケーブルを示す概略図であり、図１５（ｂ）は、着脱冶具の磁性部を本体部から外した状態を示す概略図である。
【００８６】
第２の直流電源装置７のうち着脱冶具の本体部以外は、上述した第２の直流電源装置５と同様であるので同一の符号を用いその説明は省略する。
【００８７】
本体部７３１は、例えば図１５（ａ）に示すように作業者が掴み易いように太めの保持部７３１ａと、それより細く保持部７３１ａと磁性部５３２とをつなぐ連結部７３１ｂと、その連結部７３１ｂに先が巻き付け固定された固定バンド７３１ｃと、当該保持部７３１ａから連結部７３１ｂを貫通する導通部材７３１ｄとを備える。
【００８８】
保持部７３１ａは、プラス側電源ケーブル５２１のコネクタ５２１ａに接続する図示しないコネクタを有し、導通部材７３１ｄはその図示しないコネクタと磁性部５３２とを導通する。また、保持部７３１ａと連結部７３１ｂの少なくとも表面は絶縁材により形成されており、図１５（ｂ）に示すように磁性部５３２を螺着可能なように連結部７３１ｂの先端表面はねじ部７３１ｂａが設けられている。
【００８９】
図１６は、固定バンドを負荷ケーブルに巻きつけた状態を示す概略図である。
【００９０】
固定バンド７３１ｃは、全体として帯状であり連結部７３１ｂに巻き付けた側と反対側端部をマジックテープ（登録商標）のように着脱自在としている。これにより、例えば図１６に示すようにマイナス側負荷ケーブル２２２の保護キャップ２２２ｂに外側から回り込んでその着脱自在の端部を連結部７３１ｂに巻き付けた部分に固定することで、着脱冶具５３を第２の端子３３に確実に嵌着した状態を保持できる。また、接続すべき負荷ケーブル２２に当該固定バンドをつなぐことで接続の誤りを防止できる。
【００９１】
なお、図１６では負荷ケーブルの端子側部分が圧着端子２２２ａから略垂直に曲がった状態で固定された保護キャップ２２２ｂが設けられているが、勿論、圧着端子２２２ａから真っ直ぐそのまま略水平に固定されている保護キャップであっても良い。例えば図１０のような場合でも固定バンド７３１ｃにより着脱冶具５３を第２の端子３３に確実に保持できる。但し、より好ましくは図１６のように着脱冶具５３の連結部７３１ｂと固定すべき部分が略平行となっているほうが良い。また、図１６ではマジックテープ（登録商標）を用いたが、単なる帯を縛って固定しても良い。
【００９２】
また、図１６に示すように第１の端子３２に嵌着された着脱冶具５３も第２の端子３３に嵌着された着脱冶具５３と同様に固定バンド７３１ｃが備えられている。
【００９３】
図１７は、本発明の他の実施形態に係る第２の直流電源装置の着脱冶具の磁性部を示す概略図であり、図１８は当該磁性部が六角ボルトに嵌着された状態を示す概略断面図である。
【００９４】
第２の直流電源装置８のうち着脱冶具の磁性部以外は、上述した第２の直流電源装置５と略同様であるので同一の符号を用いその説明は省略する。
【００９５】
上記第１及び第２の端子３２，３３では十字穴付なべねじ３２２，３３２やマイナスねじを用いたが六角ボルト３２４，３３４でもよい。ただし、その場合磁性部８３２はその頭部３２４ａ，３３４ａにしっかり嵌着可能であることが必要である。
【００９６】
したがって、磁性部８３２は、第１の端子３２との接触面が六角ボルト３２４の頭部３２４ａを覆うことができるように連結部５３１ｂ側と反対側に六角形に窪んだ凹面形状８３２ａを有している。また、磁性部８３２は着脱冶具５３の導通部材５３１ｃの先端部が図１８に示すように六角ボルト３２４の頭部３２４ａに直接当接可能なように中央に貫通孔８３２ｂが設けられている。その貫通孔８３２ｂに連結部５３１ｂの先端部のネジ部５３１ｂａが螺着され、凹面形状８３２ａ側に当該連結部５３１ｂ内の導通部材５３１ｃの端部が現れる。これにより、第２の直流電源装置８を確実に第１及び第２の端子３２，３３に導通させることができる。尚、図１８に示すように磁性部８３２は圧着部材２２１ａ，２２２ａ表面に当接しない程度に若干離間して嵌着されることが好ましい。圧着部材２２１ａ，２２２ａ表面に当接すると磁力による嵌着が不十分となる恐れがある。
【００９７】
本発明に係る実施形態は、以上説明した実施形態に限定されず、他の種々の実施形態が考えられる。
【００９８】
例えば上記の各実施形態に係る着脱冶具５３は、いずれも一つの端子に一つの着脱冶具が嵌着される構成となっている。しかし、第１の端子３２に磁性部５３２が嵌着してプラス側電源ケーブルに導通し、第２の端子３３は別の磁性部５３２が嵌着してマイナス側電源ケーブルに導通するが、当該二つの磁性部は互いに絶縁された一つの筺体に収納してもよい。これにより、当該二つの磁性部を備えた着脱冶具は一つの磁性部しかない場合よりも二箇所で磁力により嵌着するので、好ましい接続状態をより安定的に保持することが可能となる。
【００９９】
また、上記の各実施形態に係る第３の電源部６１は、第１の電源部４１のようなスイッチについて特に言及しなかったが、第１の電源部４１と同様にスイッチを設けてもよい。逆に第１の電源部４１にスイッチ４１２を設けないで第３及び第４の端子３４，３５から第１の直流電源装置４を取り外すことで当該第１の直流電源装置４からの電流の供給を停止してもよい。
【０１００】
さらに上記の各実施形態に係る第２の電源部５１の電源電圧Ｅ２の調整は、必ずしも第２の電源部５１の調整部５１２による場合に限られない。例えば第２の電源部５１のバッテリー５１１自体の出力電圧を第１及び第３の電源部４１，６１のバッテリー自体の出力電圧より小さくすることで、第２の電源部５１の電源電圧Ｅ２を第１及び第３の電源部４１，６１の電源電圧Ｅ１、Ｅ３より低くしても良い。ただし、調整部５１２による方がより容易であり好ましい。
【０１０１】
また、上記の各実施形態に係る逆流制御部は、整流素子５１３（例えばダイオード）に限られるものではなく、例えば図１の整流素子５１３に所定の抵抗を並列に接続したような回路でもよい。これにより、外部への電流の流れ、例えば第２の直流電源装置５からの第１、第２端子３２，３３を介した負荷２への適正電流の流れを確保すると共に、外部からの当該第２の直流電源装置５への電流の流入は抵抗を選択することで所定の電流に制限することができる。例えばバッテリー５１１に対し過充電とならない電流となるように抵抗を選択することで、取替え作業中の過充電による第２の直流電源装置５のダメージを防ぎながら適度な充電により第２の直流電源装置５の寿命を延ばすことができる。勿論、抵抗の選択は過充電防止に限られるものではないし、逆流制御部は整流素子５１３（例えばダイオード）や整流素子５１３に所定の抵抗を並列に接続する回路に限られるものではない。
【符号の説明】
【０１０２】
１…直流電源装置取替えシステム
２…負荷
２２…負荷ケーブル
３２…第１の端子
３３…第２の端子
３４…第３の端子
３５…第４の端子
４…第１の直流電源装置
４１…第１の電源部
５…第２の直流電源装置
５１…第２の電源部
５１２…調整部
５１３…整流素子（逆流制御部に相当）
５２…電源ケーブル
５３…着脱冶具
５３１，７３１…本体部
５３２，８３２…磁性部
５３２ａ，８３２ａ…凹面形状
６…第３の直流電源装置
６１…第３の電源部
７３１ｃ…固定バンド
【図１】
0005447104.tif 000002
【図２】
0005447104.tif 000003
【図３】
0005447104.tif 000004
【図４】
0005447104.tif 000005
【図５】
0005447104.tif 000006
【図６】
0005447104.tif 000007
【図７】
0005447104.tif 000008
【図８】
0005447104.tif 000009
【図９】
0005447104.tif 000010
【図１０】
0005447104.tif 000011
【図１１】
0005447104.tif 000012
【図１２】
0005447104.tif 000013
【図１３】
0005447104.tif 000014
【図１４】
0005447104.tif 000015
【図１５】
0005447104.tif 000016
【図１６】
0005447104.tif 000017
【図１７】
0005447104.tif 000018
【図１８】
0005447104.tif 000019